【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
可撓性を有する第１の表示パネルと、可撓性を有する第２の表示パネルと、を有し、
前記第１の表示パネルは、第１の領域と、第２の領域と、を有し、
前記第２の表示パネルは、第３の領域と、第４の領域と、を有し、
前記第１の領域は、表示を行うことができる領域であり、
前記第２の領域は、可視光を透過することができる領域であり、
前記第３の領域は、表示を行うことができる領域であり、
前記第４の領域は、可視光を透過することができる領域であり、
前記第１の表示パネルの前記第２の領域は、前記第２の表示パネルの前記第３の領域と重なる領域を有し、
前記第１の表示パネルの前記第１の領域の表面と、前記第２の表示パネルの前記第３の領域の表面とが、同一平面である領域を有する表示装置。
【請求項２】
可撓性を有する第１の表示パネルと、可撓性を有する第２の表示パネルと、を有し、
前記第１の表示パネルは、第１の領域と、第２の領域と、第３の領域と、を有し、
前記第２の表示パネルは、第４の領域と、第５の領域と、第６の領域と、を有し、
前記第１の領域は、表示を行うことができる領域であり、
前記第２の領域は、可視光を透過することができる領域であり、
前記第３の領域には、第１のＦＰＣが設けられ、
前記第４の領域は、表示を行うことができる領域であり、
前記第５の領域は、可視光を透過することができる領域であり、
前記第６の領域には、第２のＦＰＣが設けられ、
前記第１の表示パネルの前記第２の領域は、前記第２の表示パネルの前記第４の領域と重なる領域を有し、
前記第１の表示パネルの前記第１の領域の表面と、前記第２の表示パネルの前記第４の領域の表面とが、同一平面である領域を有し、
前記第１の表示パネルの前記第３の領域は、湾曲した領域を有する表示装置。
【請求項３】
可撓性を有する第１の表示パネルと、可撓性を有する第２の表示パネルと、を有し、
前記第１の表示パネルは、第１の領域と、第２の領域と、第３の領域と、を有し、
前記第２の表示パネルは、第４の領域と、第５の領域と、第６の領域と、を有し、
前記第１の領域は、表示を行うことができる領域であり、
前記第２の領域は、可視光を透過することができる領域であり、
前記第３の領域には、第１のＦＰＣが設けられ、
前記第４の領域は、表示を行うことができる領域であり、
前記第５の領域は、可視光を透過することができる領域であり、
前記第６の領域には、第２のＦＰＣが設けられ、
前記第１の表示パネルの前記第２の領域は、前記第２の表示パネルの前記第４の領域と重なる領域を有し、
前記第１の表示パネルの前記第１の領域の表面と、前記第２の表示パネルの前記第４の領域の表面とが、同一平面である領域を有し、
前記第１の表示パネルの前記第３の領域は、湾曲した領域を有し、
前記第３の領域に設けられた前記第１のＦＰＣは、表示面とは反対側に設けられている表示装置。
【請求項４】
可撓性を有する第１の表示パネルと、可撓性を有する第２の表示パネルと、を有し、
前記第１の表示パネルは、第１の領域と、第２の領域と、第３の領域と、を有し、
前記第２の表示パネルは、第４の領域と、第５の領域と、第６の領域と、を有し、
前記第１の領域は、表示を行うことができる領域であり、
前記第２の領域は、可視光を透過することができる領域であり、
前記第３の領域には、第１のＦＰＣが設けられ、
前記第４の領域は、表示を行うことができる領域であり、
前記第５の領域は、可視光を透過することができる領域であり、
前記第６の領域には、第２のＦＰＣが設けられ、
前記第１の表示パネルの前記第２の領域は、前記第２の表示パネルの前記第４の領域と重なる領域を有し、
前記第１の表示パネルの前記第１の領域の表面と、前記第２の表示パネルの前記第４の領域の表面とが、同一平面である領域を有し、
前記第１の表示パネルの前記第３の領域は、湾曲した領域を有し、
前記第３の領域に設けられた前記第１のＦＰＣは、表示面とは反対側に設けられ、かつ、前記第２の表示パネルの前記第４の領域と重なる領域を有する表示装置。
【請求項５】
可撓性を有する第１の表示パネルと、可撓性を有する第２の表示パネルと、樹脂層と、を有し、
前記第１の表示パネルは、第１の領域と、第２の領域と、を有し、
前記第２の表示パネルは、第３の領域と、第４の領域と、を有し、
前記第１の領域は、表示を行うことができる領域であり、
前記第２の領域は、可視光を透過することができる領域であり、
前記第３の領域は、表示を行うことができる領域であり、
前記第４の領域は、可視光を透過することができる領域であり、
前記第１の表示パネルの前記第２の領域は、前記第２の表示パネルの前記第３の領域と重なる領域を有し、
前記第１の表示パネルの前記第１の領域の表面と、前記第２の表示パネルの前記第３の領域の表面とが、同一平面である領域を有し、
前記樹脂層は、前記第１の表示パネルの前記第１の領域と、前記第２の領域と、前記第２の表示パネルの前記第３の領域と、接する領域を有する表示装置。
【請求項６】
可撓性を有する第１の表示パネルと、可撓性を有する第２の表示パネルと、樹脂層と、を有し、
前記第１の表示パネルは、第１の領域と、第２の領域と、第３の領域と、を有し、
前記第２の表示パネルは、第４の領域と、第５の領域と、第６の領域と、を有し、
前記第１の領域は、表示を行うことができる領域であり、
前記第２の領域は、可視光を透過することができる領域であり、
前記第３の領域には、第１のＦＰＣが設けられ、
前記第４の領域は、表示を行うことができる領域であり、
前記第５の領域は、可視光を透過することができる領域であり、
前記第６の領域には、第２のＦＰＣが設けられ、
前記第１の表示パネルの前記第２の領域は、前記第２の表示パネルの前記第４の領域と重なる領域を有し、
前記第１の表示パネルの前記第１の領域の表面と、前記第２の表示パネルの前記第４の領域の表面とが、同一平面である領域を有し、
前記樹脂層は、前記第１の表示パネルの前記第１の領域と、前記第２の領域と、前記第２の表示パネルの前記第４の領域と、前記第５の領域と、接する領域を有し、
前記第１の表示パネルの前記第３の領域は、湾曲した領域を有する表示装置。
【請求項７】
可撓性を有する第１の表示パネルと、可撓性を有する第２の表示パネルと、樹脂層と、を有し、
前記第１の表示パネルは、第１の領域と、第２の領域と、第３の領域と、を有し、
前記第２の表示パネルは、第４の領域と、第５の領域と、第６の領域と、を有し、
前記第１の領域は、表示を行うことができる領域であり、
前記第２の領域は、可視光を透過することができる領域であり、
前記第３の領域には、第１のＦＰＣが設けられ、
前記第４の領域は、表示を行うことができる領域であり、
前記第５の領域は、可視光を透過することができる領域であり、
前記第６の領域には、第２のＦＰＣが設けられ、
前記第１の表示パネルの前記第２の領域は、前記第２の表示パネルの前記第４の領域と重なる領域を有し、
前記第１の表示パネルの前記第１の領域の表面と、前記第２の表示パネルの前記第４の領域の表面とが、同一平面である領域を有し、
前記樹脂層は、前記第１の表示パネルの前記第１の領域と、前記第２の領域と、前記第２の表示パネルの前記第４の領域と、前記第５の領域と、接する領域を有し、
前記第１の表示パネルの前記第３の領域は、湾曲した領域を有し、
前記第３の領域に設けられた前記第１のＦＰＣは、表示面とは反対側に設けられている表示装置。
【請求項８】
可撓性を有する第１の表示パネルと、可撓性を有する第２の表示パネルと、樹脂層と、を有し、
前記第１の表示パネルは、第１の領域と、第２の領域と、第３の領域と、を有し、
前記第２の表示パネルは、第４の領域と、第５の領域と、第６の領域と、を有し、
前記第１の領域は、表示を行うことができる領域であり、
前記第２の領域は、可視光を透過することができる領域であり、
前記第３の領域には、第１のＦＰＣが設けられ、
前記第４の領域は、表示を行うことができる領域であり、
前記第５の領域は、可視光を透過することができる領域であり、
前記第６の領域には、第２のＦＰＣが設けられ、
前記第１の表示パネルの前記第２の領域は、前記第２の表示パネルの前記第４の領域と重なる領域を有し、
前記第１の表示パネルの前記第１の領域の表面と、前記第２の表示パネルの前記第４の領域の表面とが、同一平面である領域を有し、
前記樹脂層は、前記第１の表示パネルの前記第１の領域と、前記第２の領域と、
前記第２の表示パネルの前記第４の領域と、前記第５の領域と、接する領域を有し、
前記第１の表示パネルの前記第３の領域は、湾曲した領域を有し、
前記第３の領域に設けられた前記第１のＦＰＣは、表示面とは反対側に設けられ、かつ、前記第２の表示パネルの前記第４の領域と重なる領域を有する表示装置。
【請求項９】
請求項１乃至請求項８のいずれか一において、
前記第１の表示パネルの厚さは、１ｍｍ以下であり、
前記第２の表示パネルの厚さは、１ｍｍ以下である表示装置。